(57)【要約】      （修正有）【課題】本体の防水性を向上させると共に、容器外部からの衝撃に対して電池がしっかりと保持され、また電極が適性に導電性液体に浸漬されて正しく通電されるような信頼性の高い密閉型発光具を提供する。【解決手段】本体外に露出する電極をゴム電極６とし、また内ケース３と蓋４でゴムパッキン１６を挟持し、蓋と外ケース２は超音波溶着にて接合する。また、電極１０を板バネ状に構成して、電池９を電極間にしっかりと挟持させる。更に、本体底面には１つ以上の突起部４ｃを設ける。【選択図】図２
0003104784.tif 000002
【実用新案登録請求の範囲】
【請求項１】
透光性を有する多角形形状の外ケース内に該外ケース内部を二分する内ケースを設け、該内ケース内に通電により発光する発光ダイオードと発光ダイオードに電力を供給する電池とを備えた電気回路が収容され、該内ケースと蓋の間にゴムパッキンを配した後に外ケースと蓋を超音波溶着して密閉状態にすると共に、前記電気回路をスイッチオン、オフするための一対のゴム電極が本体壁面を貫通し器外に設けられ、該ゴム電極を導電性物質に浸漬若しくは接触させることにより前記発光ダイオードが通電されることを特徴とする密閉型発光具。
【請求項２】
前記蓋が外ケースの底蓋であって、前記一対のゴム電極が底蓋及び底蓋のカバーに貫通された穴にそれぞれ挿通された後、該カバーと底蓋を接着して固定し、底蓋の外表面に１つ以上の突起部を設ける一方、その反対面にはリング状の凸部を設け、前記内ケースの下面には前記ゴムパッキンを配置する溝部がリング状に穿設され、前記ゴムパッキンがリング状で前記凸部と溝で挟持されることを特徴とする請求項１記載の密閉型発光具。
【請求項３】
前記電池が板バネ状の電極間に挟持された状態で本体内部に収容されていることを特徴とする請求項１又は２いずれか一項に記載の密閉型発光具。
【請求項４】
前記外ケースと内ケースの間の空間にゲル状の物質を封入したことを特徴とする請求項１乃至３いずれか一項に記載の密閉型発光具。
【考案の詳細な説明】
【技術分野】
【０００１】
本考案は、透光性のある容器に発光体を封入し、導電性液体に浸すことにより、発光体が点灯する密閉型発光具に関する。
【背景技術】
【０００２】
透明な容器に発光体と保冷剤を封入し、表面に電極を設けた本体を水等の導電性液体に浸すことにより、内部の発光体を点灯させる発光保冷体が開示されている。（例えば、特許文献１参照。）。
【０００３】
【特許文献１】登録実用新案第３０８４９７４号公報
【考案の開示】
【考案が解決しようとする課題】
【０００４】
上記のような発光具では、容器底部の電極部分や、容器と底蓋の接着部分から水や導電性液体が容器内部に漏出し、結果として結露したり、通電に不具合が生じる場合があった。また、同発光具を液体に沈めたて本体底面が液体を満たした容器の底に密着した場合、液体の表面張力の影響で容器底部の電極が適性に浸漬されず、通電が正しく行われないという問題があった。更には外部から本体に衝撃を加えた場合に、電池の固定が弱い為、電池が電極から外れたり、内部の発光体の配線部分が破損したりするという問題があった。
【０００５】
そこで本考案では、従来技術の問題点に鑑みなされたもので、容器の防水性を向上させると共に、容器外部からの衝撃に対して電池がしっかりと保持されるような信頼性の高い密閉型発光具を提供することを課題とする。
【課題を解決するための手段】
【０００６】
請求項１記載の考案は密閉型発光具であって、透光性を有する多角形形状の外ケースの内部を内ケースで二分し、更に内ケース内部に通電により発光する発光ダイオードと発光ダイオードに電力を供給する電池とを備えた電気回路が収容して、内ケースと蓋の間にゴムパッキンを配した後に外ケースと蓋を超音波溶着して密閉状態としたものである。更に、前記電気回路をスイッチオン、オフするための一対のゴム電極を密閉型発光具本体の壁面を貫通させて器外に設けている。そして、ゴム電極を導電性物質に浸漬若しくは接触させると、発光ダイオードが通電される。
【０００７】
本考案によれば、更に蓋と外ケースを超音波溶着すること、またゴム電極やゴムパッキンにより密閉型発光具本体内部への導電性液体の漏出を防ぎ、結露や通電の不具合を防止することが出来る。
【０００８】
請求項２記載の考案は、請求項１記載の密閉型発光具であって、蓋が外ケースの底蓋であり、前記ゴム電極が底蓋及び底蓋のカバーに貫通された穴にそれぞれ挿通された後、該カバーと底蓋を接着して固定したものである。更に、底蓋の外表面には１つ以上の突起部を設ける一方、その反対面にはリング状の凸部を設ける。前記内ケースの下面には前記ゴムパッキンを配置する溝部をＯ字状に穿設する。そして、リング状のゴムパッキンを内ケースの凸部と底蓋の溝部で挟持する。
【０００９】
本考案によれば、リング状のゴムパッキンを同形状の底蓋の凸部及び内ケースの溝部で押さえることにより、より本体の密閉度が高めることができる。また、発光具本体を導電性液体の入った容器に沈めた場合に、底蓋の外表面に突起部を設けることで容器の平坦な底面と本体下面が密着することを防ぎ、結果として液体の表面張力による通電の不具合を防止することができる。
【００１０】
請求項３記載の考案は、請求項１又は２いずれか一項に記載の密閉型発光具であって、電池を板バネ状の電極間に挟持された状態で本体内部に収容したものである。
【００１１】
本考案によれば、外部から発光具本体に衝撃が加わった場合に、板バネ状の電極でしっかりと電池を固定しているので、電池がずれたり、回路が断線したりすることを防止出来る。
【００１２】
請求項４記載の考案は、請求項１乃至３いずれか一項に記載の密閉型発光具であって、前記外ケースと内ケースの間の空間にゲル状の物質を封入したものである。
【００１３】
外ケース自体多角形であり、また液体に沈めることにより発光ダイオードの光が屈折するのである程度の装飾効果が期待できるが、本考案により容器内部にゲル状物質を封入することで、より光の屈折、散乱が発生し装飾性が高まる。
【考案の効果】
【００１４】
本考案は以上説明したような形態で実施され、次のような効果を有する。
【００１５】
本考案によれば、合成樹脂性パッキンとゴム電極を採用することにより、水等の導電性液体の密閉型発光具本体内部への漏出を防止できる効果がある。
【００１６】
また、外ケースと底蓋を超音波溶着することで、更に防水性を向上させる効果がある。
【００１７】
本考案によれば、電池を板バネ状の電極で挟持するので容器外部からの衝撃に強く、回路が断線したりすることを防止することができる。
【００１８】
本考案によれば、密閉型発光具本体内部の間仕切りされた一方の部屋にゲル状の物質を封入することにより、発光ダイオードの光がより屈折、散乱されるので装飾性を高める効果がある。
【考案を実施するための最良の形態】
【００１９】
本考案の密閉型発光具は、本体外に露出する電極をゴム電極とし、また内ケースと蓋でゴムパッキンを挟持し、蓋と外ケースは超音波溶着にて接合する。また、電極を板バネ状に構成して、電池を電極間にしっかりと挟持させる。更に、本体底面には１つ以上の突起部を設ける。
【実施例】
【００２０】
以下、図面に基づいて本考案の実施例を詳細に説明する。
図１は本考案の密閉型発光具の外観を示したものである。外ケース２は図のような矩形の多角形形状であり、具体的には側面は長方形、底面は六角形の六角柱形状であるが、上面は三角形と五角形を組合せて中心より側面に向かって傾斜をつけた形状となっている。このようなクリスタル形状にすることにより、内部の発光ダイオードの光を屈折し易くなっている。
【００２１】
図２は本密閉型発光具の分解斜視図を、図３は同発光具の組立断面図を示している。底蓋４の一対の穴４ｂにゴム電極６の下部を挿通し、その上にラベル７、カバー５と重ね、ゴム電極の上部をそれぞれ一対のカバー５の穴５ａ、ラベルの穴７ａに挿通した後、底蓋４とカバー５を接着し密封する。ゴム電極６はその上下部が前記穴４ｂ、５ａの径にほぼ等しく、中間部は穴の径より大きくなっている。なお、底蓋４の底面には突起部４ｃが六つの角にそれぞれ１つずつ設けられている。又、底蓋４の上面にはＯ字状の凸部４ａが設けられている。
【００２２】
次に発光ダイオードと電池、制御基板について説明する。制御基板１４には発光ダイオード８、一対の＋電極１０、−電極１１及び通電スイッチ用電極１２がそれぞれ延出されるようにマウントされている。また、通電スイッチに誤って電池から電力供給されないように、通電スイッチ用電極１２の表面には絶縁シート１３が貼付されている。前記＋電極１０は板バネ状の構造となっており、下部の−電極１１及び通電スイッチ用電極１２とを用いて電池９を２個重ねた状態でしっかりと挟持する。
【００２３】
続いて、外ケース２と内ケース３の間の空間にゲル状物質１３を封入する。内ケース３には下面にＯ字状の溝部３ａが設けられている。更に前述の発光ダイオード、電池、制御基板、電極が一体となったものを内ケース３の内側に収容した後、底蓋４のＯ字状凸部４ａと内ケースのＯ字状溝部３ａでＯ字状ゴムパッキン１６を挟持する。最後に底蓋４の周縁部と外ケース２の嵌合部を超音波溶着する。
【００２４】
図４は本密閉型発光具の底面を示し、図５は図４における底面のＡ−Ａ′方向での縦断面図を、図６は同底面のＢ−Ｂ′方向での縦断面図を示している。一対のゴム電極６の上面はそれぞれ−電極１１と通電スイッチ用電極１２に接している。また、ゴム電極６の下面は本体外に露出している。
【００２５】
図７は本密閉型発光具を使用する場合の一実施例を示している。グラス１７に導電性液体１８（例えば水）を満たし、その中に本密閉型発光具を浸漬する。一対のゴム電極６が水に浸漬されると、通電スイッチ用電極１２が通電され、制御基板１４上のスイッチが閉成され、発光ダイオード８が点灯する。
【００２６】
この際に、密閉型発光具の底面には突起部４ｃがあるので、底面がグラスの壁面や底面に密着することがなく、従って導電性液体１８の表面張力の影響を受けることがないので、ゴム電極６が適性に導電性液体１８に浸漬される。
【００２７】
図８は本密閉型発光具の底面部についての別の実施例を示している。図８（Ａ）に示すように、突起部４ｃは六つの角にそれぞれ１つずつ、更に一対のゴム電極６を囲むように7個、合計１３個が底蓋４の底面に配置されている。また、突起部４ｃの底面からの高さを０．５ミリメートル、ゴム電極６の底面からの突出長さを０．３ミリメートルとしている。従って図８（Ｂ）に示すように、導電性液体１８の入った容器１９の底部が曲面形状であっても、ゴム電極が前記曲面に接することが無く、常に導電性液体に浸漬される。
【００２８】
前記パッキンはＯ字状形状以外に、四角形以上の多角形であってもよい。また、その材質はゴム以外の有機エラストマーや金属等の弾性体であってもよい。また、底蓋の形状も四角形、五角形、八角形若しくはそれ以上の多角形形状であってもよく、本体形状も上記の多角形を任意に組合せたクリスタル形状とすることができる。
【００２９】
前記ゲル状物質１３はフレーク状の物質や粒状の物質でも代用できる。
本密閉型発光具を保冷体として使用する場合には、保冷剤として例えばポリアクリル酸ナトリウム等の高分子給水ゲルを封入することが出来る。
【００３０】
本考案の密閉型発光具は、例えばその全体を大きくして容器を耐圧性のある材質で構成すると共に、容器内部に複数個の発光体とその発光体を制御する制御回路を収容することができる。そして、海中やプールなどに沈めることにより、漁礁やイルミネーションとして使用することも可能である。
【産業上の利用可能性】
【００３１】
本考案の密閉型発光具は、シャンペンやワイン、水等を満たしたグラスに本発光具を入れ、同グラスを並べたり、積み重ねたりすることで、結婚式やパーティーでの装飾に用いることができる。また、水槽に沈めることで室内装飾に用いることも可能である。
【図面の簡単な説明】
【００３２】
【図１】本考案の密閉型発光具の外観図を示す。
【図２】本考案の密閉型発光具の分解斜視図を示す。
【図３】本考案の密閉型発光具の組立断面図を示す。
【図４】本考案の密閉型発光具の底面図を示す。
【図５】本考案の密閉型発光具の図４でのＡ−Ａ′縦断面図を示す。
【図６】本考案の密閉型発光具の図４でのＢ−Ｂ′縦断面図を示す。
【図７】本考案の密閉型発光具を使用する場合の実施例を示す。
【図８】本考案の密閉型発光具の底面についての実施例を示す。
【符号の説明】
【００３３】
１ 密閉型発光具本体
２ 外ケース
３ 内ケース
３ａ Ｏ字状溝部
４ 底蓋
４ａ Ｏ字状凸部
４ｂ 穴
４ｃ 突起部
５ カバー
５ａ 穴
６ ゴム電極
７ ラベル
７ａ 穴
８ 発光ダイオード
９ 電池
１０ ＋電極
１１ −電極
１２ 通電スイッチ用電極
１３ 絶縁シート
１４ 制御基板
１５ ゲル剤
１６ Ｏ字状ゴムパッキン
１７ グラス
１８ 導電性液体
１９ 容器
【図１】
0003104784.tif 000003
【図２】
0003104784.tif 000004
【図３】
0003104784.tif 000005
【図４】
0003104784.tif 000006
【図５】
0003104784.tif 000007
【図６】
0003104784.tif 000008
【図７】
0003104784.tif 000009
【図８】
0003104784.tif 000010